(57)【要約】【課題】  マルチフォーマットのデジタルコンテンツの暗号化に対応した暗号化・復号処理と、コンテンツに掲載する広告の視聴率調査処理を実現するコンテンツ配信システム等を提供する。【解決手段】  クライアント端末１０７は、コンテンツサーバ１０１から配信されたデジタルコンテンツデータ１１０を、暗号化装置１０３により暗号化された暗号化デジタルコンテンツデータ１１１を受信し、復号、再生する。また、所定時間間隔で再生されたデジタルコンテンツの視聴データを暗号化装置１０３に送信する。暗号化装置１０３は、受信した視聴データを蓄積し、対象広告情報の要素に一致する視聴情報を抽出しデジタルコンテンツデータ１１０に掲載する広告に関する視聴率を算出する。【選択図】  図１
2007011842.tif 000002
【特許請求の範囲】
【請求項１】
デジタルコンテンツデータを配信する少なくとも１つのコンテンツサーバと、前記少なくとも１つのコンテンツサーバから配信される異種フォーマットのデジタルコンテンツデータを暗号化し、視聴情報を集計する暗号化装置と、にネットワークを介して接続されるクライアント端末であって、
前記コンテンツサーバから配信され、前記暗号化装置を介して、暗号化されたデジタルコンテンツデータを受信する受信手段と、
受信した暗号化されたデジタルコンテンツデータを復号する復号手段と、
復号されたデジタルコンテンツデータを再生する再生手段と、
所定時間間隔に、前記再生手段により再生されたデジタルコンテンツデータの視聴状況を示す前記視聴情報を前記暗号化装置に送信する視聴情報測定手段と、
を具備することを特徴とするクライアント端末。
【請求項２】
前記視聴情報は、当該クライアント端末の識別情報、現在の時刻情報、視聴しているか否かを表す視聴状況情報を有することを特徴とする請求項１のクライアント端末。
【請求項３】
予め、正当使用者／端末を特定するための認証情報を記憶し、
前記コンテンツサーバへの送信した前記デジタルコンテンツデータの配信利用要求に対して、前記コンテンツサーバから受け取った前記デジタルコンテンツデータの配信を受ける旨の利用内容に応じた利用情報と、前記認証情報に基づき、契約端末の認証を行う認証手段、
を、更に備え、
前記認証手段により認証される場合、前記復号手段を実行することを特徴とする請求項１のクライアント端末。
【請求項４】
映像、画像、音声いずれかの入力データを入力する入力手段と、
前記入力データを暗号化し、前記認証情報を付加した暗号化データを生成する暗号化手段と、
を、更に具備することを特徴とする請求項１のクライアント端末。
【請求項５】
前記クライアント端末は、パーソナルコンピュータ、携帯電話、セットトップボックス、車載端末のいずれかであることを特徴とする請求項１記載のクライアント端末。
【請求項６】
前記デジタルコンテンツデータは、ストリーミングデータであることを特徴とする請求項１記載のクライアント端末。
【請求項７】
前記認証情報は記録媒体に記憶されることを特徴とする請求項１記載のクライアント端末。
【請求項８】
デジタルコンテンツデータを配信する少なくとも１つのコンテンツサーバと、受信し再生されたデジタルコンテンツの視聴情報を暗号化装置に送信する少なくとも１つのクライアント端末と、にネットワークを介して接続される暗号化装置であって、
前記コンテンツサーバから受信した異種フォーマットのデジタルコンテンツデータを暗号化し、送出する暗号化手段と、
前記クライアント端末から受信した視聴情報を蓄積し、前記視聴情報に基づいて、前記デジタルコンテンツデータと共に配信する広告に関する視聴情報を集計する視聴情報集計手段と、
を具備することを特徴とする暗号化装置。
【請求項９】
前記視聴情報は、前記クライアント端末の識別情報、現在の時刻情報、視聴しているか否かを表す視聴状況情報を有することを特徴とする請求項８の暗号化装置。
【請求項１０】
前記視聴情報集計手段は、
前記広告を掲載するデジタルコンテンツデータの識別情報と、広告配信時刻情報を有する広告情報を記憶するデータベースと、
集計対象となる広告情報の条件の要素に一致する視聴情報を抽出し、抽出された視聴情報に基づいて視聴率を算出する視聴率算出手段と、
視聴率算出結果を、前記コンテンツサーバに送信する送信手段と、
を、更に具備することを特徴とする請求項８記載の暗号化装置。
【請求項１１】
デジタルコンテンツデータを配信する少なくとも１つのコンテンツサーバと、前記コンテンツサーバからの配信されるデジタルコンテンツデータを暗号化する暗号化装置と、暗号化されたデジタルコンテンツデータを受信する少なくとも１つのクライアント端末と、がネットワークを介して接続されるコンテンツ配信システムであって、
前記暗号化装置は、
前記コンテンツサーバから受信した異種フォーマットのデジタルコンテンツデータを暗号化し、送出する暗号化手段と、
前記クライアント端末から受信した視聴情報を蓄積し、前記視聴情報に基づいて、前記デジタルコンテンツデータと共に配信する広告に関する視聴情報を集計する視聴情報集計手段と、
を備え、
前記クライアント端末は、
前記コンテンツサーバから配信され、前記暗号化装置を介して、暗号化されたデジタルコンテンツデータを受信する受信手段と、
受信した暗号化されたデジタルコンテンツデータを復号する復号手段と、
復号されたデジタルコンテンツデータを再生する再生手段と、
所定時間間隔に、前記再生手段により再生されたデジタルコンテンツデータの視聴状況を示す視聴情報を前記暗号化装置に送信する視聴情報測定手段と、
を具備することを特徴とするコンテンツ配信システム。
【請求項１２】
コンピュータを請求項１から請求項７のいずれかに記載のクライアント端末として機能させるプログラム。
【請求項１３】
コンピュータを請求項１から請求項７のいずれかに記載のクライアント端末として機能させるプログラムを記録した記録媒体。
【請求項１４】
コンピュータを請求項８から請求項１０のいずれかに記載の暗号化装置として機能させるプログラム。
【請求項１５】
コンピュータを請求項８から請求項１０のいずれかに記載の暗号化装置として機能させるプログラムを記録した記録媒体。
【発明の詳細な説明】
【技術分野】
【０００１】
本発明は、ネットワークを介して、デジタルコンテンツデータを配信するコンテンツ配信システムに係り、特に、配信するデジタルコンテンツの視聴率調査処理に関する。
【背景技術】
【０００２】
近年、衛星放送やケーブルＴＶ等の放送や、インターネット等に代表される各種ネットワークを介して、映像、音楽等のマルチメディアコンテンツを配信するコンテンツ配信システムが多数存在する。例えば、ネットワークを通じて映像や音声などのマルチメディアデータを視聴する際に、データを受信しながら同時に再生を行なう「ストリーミング配信」が知られている。このようなストリーミング配信を用いて、映像、音楽等のデジタルコンテンツデータを提供するコンテンツ配信システムが開示されている（例えば、特許文献１参照）。
【０００３】
また、従来から、ラジオ番組やテレビ番組放送では、番組の時間当たりの視聴率調査が行われている。広告が放映される番組では、番組スポンサーである企業等の広告主にとっては、視聴率は、宣伝効果に対する判断基準となっている。例えば、視聴率調査センタと、オンライン端末と、視聴率測定器と、テレビとからなる、テレビの視聴率データを視聴率測定器から、オンライン端末を経由して、視聴率調査センタに送信し、データを収集し視聴率を集計するテレビ視聴率調査システムが存在する。更に、インターネット等の通信ネットワークを介して配信される番組の視聴率を調査する視聴率調査装置が存在する（例えば、特許文献２参照）。
【０００４】
【特許文献１】特開２００１−４３４４０号公報
【特許文献２】特開２００２−３２４０２５公報
【発明の開示】
【発明が解決しようとする課題】
【０００５】
しかしながら、従来のコンテンツ配信システムでは、ネットワークを通じて映像や音声などのマルチメディアのコンテンツデータを配信する際、掲載する広告の視聴率は把握できず、広告が掲載されたコンテンツの宣伝効果を正確に判断するようなことは困難であるという問題があった。
また、複数のコンテンツ配信サーバから、ネットワークを介して、各種コンテンツデータを配信させるシステムでは、視聴率調査を行う場合、新たに、受信機器からの視聴データを収集、集計する視聴率集計装置が必要であり、装置の設置、管理にコストがかかるという問題があった。
【０００６】
本発明は、以上の点に鑑みてなされたものであり、マルチフォーマットのデジタルコンテンツの暗号化に対応した暗号化・復号処理と、コンテンツに掲載する広告の視聴率調査処理を実現するコンテンツ配信システム等を提供することを目的とする。
【課題を解決するための手段】
【０００７】
前述した目的を達成するために第１の発明は、デジタルコンテンツデータを配信する少なくとも１つのコンテンツサーバと、前記少なくとも１つのコンテンツサーバから配信される異種フォーマットのデジタルコンテンツデータを暗号化し、視聴情報を集計する暗号化装置と、にネットワークを介して接続されるクライアント端末であって、前記コンテンツサーバから配信され、前記暗号化装置を介して、暗号化されたデジタルコンテンツデータを受信する受信手段と、受信した暗号化されたデジタルコンテンツデータを復号する復号手段と、復号されたデジタルコンテンツデータを再生する再生手段と、所定時間間隔に、前記再生手段により再生されたデジタルコンテンツデータの視聴状況を示す視聴情報を前記暗号化装置に送信する視聴情報測定手段と、を具備することを特徴とするクライアント端末である。
【０００８】
また、予め、正当使用者／端末を特定するための認証情報を記憶し、前記コンテンツサーバへの送信した前記デジタルコンテンツデータの配信利用要求に対して、前記コンテンツサーバから受け取った前記デジタルコンテンツデータの配信を受ける旨の利用内容に応じた利用情報と、前記認証情報に基づき、契約端末の認証を行う認証手段を、更に備え、前記認証手段により認証される場合、前記復号手段を実行することが望ましい。
また、映像、画像、音声いずれかの入力データを入力する入力手段と、前記入力データを暗号化し、前記認証情報を付加した暗号化データを生成する暗号化手段と、を具備することが望ましい。
【０００９】
第１の発明によるクライアント端末は、デジタルコンテンツデータを配信する少なくとも１つのコンテンツサーバと、少なくとも１つのコンテンツサーバから配信される異種フォーマットのデジタルコンテンツデータを暗号化し、視聴率を集計する暗号化装置と、にネットワークを介して接続され、コンテンツサーバから配信され、暗号化装置を介して、暗号化されたデジタルコンテンツデータを受信する受信手段と、受信した暗号化されたデジタルコンテンツデータを復号する復号手段と、復号されたデジタルコンテンツデータを再生する再生手段と、所定時間間隔に、再生されたデジタルコンテンツデータの視聴状況を示す視聴情報を暗号化装置に送信する視聴データ測定手段を備える。
【００１０】
「デジタルコンテンツデータ」は、映像、音声等のマルチメディアデータであり、例えば、ストリーミング方式を用いたストリーミングデータである。
「クライアント端末」は、デジタルコンテンツデータを受信する受信機器であり、パーソナルコンピュータ、携帯電話、セットトップボックス、車載端末等である。
「視聴情報」は、クライアント端末の識別情報、現在の時刻情報、視聴しているか否かを表す視聴状況情報等である。
「広告情報」は、広告識別情報、広告を掲載するデジタルコンテンツデータの識別情報と、広告配信時刻情報等を有する。
【００１１】
第１の発明では、ネットワークを通じて映像や音声などのマルチメディアのコンテンツ配信において、掲載する広告の視聴率情報を提供でき、有効且つリアルタイムな視聴率調査が可能となり、広告効果を高めることが可能になる。
また、暗号化装置で視聴率集計処理を行うことにより、既存のシステム構成で視聴率調査を行うことを可能とし、新たに、受信機器からの視聴データを収集、集計する視聴率集計装置を設置する必要がなく、視聴率調査にかかるコスト負荷が軽減することを可能とする。
【００１２】
第２の発明は、デジタルコンテンツデータを配信する少なくとも１つのコンテンツサーバと、暗号化されたデジタルコンテンツデータを受信し、視聴情報を暗号化装置に送信する少なくとも１つのクライアント端末と、にネットワークを介して接続される暗号化装置であって、前記コンテンツサーバから受信した異種フォーマットのデジタルコンテンツデータを暗号化し、送出する暗号化手段と、前記クライアント端末から受信した視聴情報を蓄積し、前記視聴情報に基づいて、前記デジタルコンテンツデータと共に配信する広告に関する視聴率を集計する視聴情報集計手段と、を具備することを特徴とする暗号化装置である。
【００１３】
第２の発明による暗号化装置は、デジタルコンテンツデータを配信する少なくとも１つのコンテンツサーバと、暗号化されたデジタルコンテンツデータを受信し、視聴情報を暗号化装置に送信する少なくとも１つのクライアント端末と、にネットワークを介して接続され、コンテンツサーバから受信した異種フォーマットのデジタルコンテンツデータを暗号化し、送出する暗号化手段と、クライアント端末から受信した視聴情報を蓄積し、視聴情報に基づいて、デジタルコンテンツデータと共に配信する広告に関する視聴情報を集計する視聴情報集計手段とを備える。
【００１４】
第３の発明は、デジタルコンテンツデータを配信する少なくとも１つのコンテンツサーバと、前記コンテンツサーバからの配信されるデジタルコンテンツデータを暗号化する暗号化装置と、暗号化されたデジタルコンテンツデータを受信する少なくとも１つのクライアント端末と、がネットワークを介して接続されるコンテンツ配信システムであって、前記暗号化装置は、前記コンテンツサーバから受信した異種フォーマットのデジタルコンテンツデータを暗号化し、送出する暗号化手段と、前記クライアント端末から受信した視聴情報を蓄積し、前記視聴情報に基づいて、前記デジタルコンテンツデータと共に配信する広告に関する視聴情報を集計する視聴情報集計手段と、を備え、前記クライアント端末は、前記コンテンツサーバから配信され、前記暗号化装置を介して、暗号化されたデジタルコンテンツデータを受信する受信手段と、受信した暗号化されたデジタルコンテンツデータを復号する復号手段と、復号されたデジタルコンテンツデータを再生する再生手段と、所定時間間隔に、前記再生手段により再生されたデジタルコンテンツデータの視聴状況を示す視聴情報を前記暗号化装置に送信する視聴情報測定手段と、を具備することを特徴とするコンテンツ配信システムである。
【００１５】
第３の発明は、第１の発明のクライアント端末と、第２の発明の暗号化装置と、デジタルコンテンツデータを配信するコンテンツサーバから構成されるコンテンツ配信システムに関する発明である。
【００１６】
第４の発明は、コンピュータを第１の発明のクライアント端末として機能させるプログラムである。
第５の発明は、コンピュータを第１の発明のクライアント端末として機能させるプログラムを記録した記録媒体である。
【００１７】
第６の発明は、コンピュータを第２の発明の暗号化装置として機能させるプログラムである。
第７の発明は、コンピュータを第２の発明の暗号化装置として機能させるプログラムを記録した記録媒体である。
【００１８】
上述のプログラムをＣＤ−ＲＯＭ等の記録媒体に保持させて流通させてもよいし、このプログラムを通信回線を介して送受することもできる。
【発明の効果】
【００１９】
本発明は、マルチフォーマットのデジタルコンテンツの暗号化に対応した暗号化・復号処理と、コンテンツに掲載する広告の視聴率調査処理を実現するコンテンツ配信システム等を提供することができる。
【発明を実施するための最良の形態】
【００２０】
以下に、添付図面を参照しながら、本発明に係るコンテンツ配信システム等の好適な実施形態について詳細に説明する。なお、以下の説明および添付図面において、略同一の機能構成を有する構成要素については、同一の符号を付することにより重複説明を省略することにする。
【００２１】
最初に、図１を参照しながら、本発明による本実施の形態に係るコンテンツ配信システム１００の構成について説明する。図１は、本実施の形態に係るコンテンツ配信システム１００の構成を示すブロック図である。
【００２２】
図１は、コンテンツ配信システムの１例であり、図１に示すように、コンテンツ配信システム１００は、複数のコンテンツサーバ１０１と、暗号化装置１０３と、複数のクライアント端末１０７等がネットワーク１０９を介して接続されて構成される。
【００２３】
ネットワーク１０９は、インターネット、ローカルエリアネットワーク（ＬＡＮ）等のネットワークであり、有線、無線を問わない。
【００２４】
コンテンツサーバ１０１は、サーバコンピュータ等であり、例えば、映像、音声等のデジタルコンテンツデータ１１０を配信、管理するサーバである。コンテンツの所有者、又は所有者ヘのサービスプロバイダが、コンテンツサーバ１０１を有する。コンテンツサーバ１０１は、通信手段１４１、契約登録手段１４２等を有する。
通信手段１４１は、コンテンツサーバ１０１と暗号化装置１０３との間の通信を行うものであり、ストリーミング配信（又はダウンロード）により、映像、音楽等のデジタルコンテンツデータをクライアント端末１０７に送信し、また、制御データや契約登録情報を受信する。更に、暗号化装置１０３から、視聴率集計結果を受信する。
契約登録手段１４２は、クライアント端末１０７から受け取った契約登録情報等の配信利用要求に応じて、契約登録を行い、契約情報を保持する。デジタルコンテンツデータの配信サービスを受ける旨の利用内容に応じた利用情報を、通信手段１４１を介して、クライアント端末１０７に送信する。
【００２５】
暗号化装置１０３は、複数のコンテンツサーバ１０３とネットワーク１０９、及びクライアント端末１０７との間に配置し、通信手段１３１、暗号化手段１３２、視聴情報集計手段１３３等を有する。コンテンツサーバ１０１と暗号化装置１０３との間の接続は、外部のネットワーク１０９に公開されておらず、暗号化する必要がない。データチャンネル１１３は、クライアント端末１０７からの各種制御データ、契約登録情報、及び視聴率集計結果等である。
通信手段１３１は、複数のコンテンツサーバ１０１と複数のクライアント端末１０７の間の通信を行うものであり、コンテンツサーバ１０１からのデジタルコンテンツデータ１１０を受信し、暗号化手段１３１により暗号化された暗号化デジタルコンテンツデータ１１１を送信する。また、クライアント端末１０７からの各種制御データ、契約登録情報を受信し、コンテンツサーバ１０１に送信する。更に、クライアント端末１０７から視聴データを受信し、視聴情報集計手段１３３により集計した視聴率集計結果をコンテンツサーバ１０１に送信する。
暗号化手段１３２は、個々の異なるデジタルコンテンツデータ１１０のフォーマット、データプロトコルに依存せずに、伝送されるデータを暗号化し、暗号化デジタルコンテンツデータ１１１を生成する。
視聴情報集計手段１３３は、視聴情報データベース３１０に蓄積した視聴情報３２０と、広告情報３３０に基づいて、デジタルコンテンツデータ１１０に掲載した広告の視聴率を算出する。
【００２６】
尚、暗号化手段１３２に相当する暗号化／復号方法については、コンピュータ分野において広く行われている事項であり、本発明で規定するところではない、例えば、特表２００４−５１１９３１号公開には、個々の異なるデジタルコンテンツデータのフォーマット、データプロトコルに依存せずに、伝送されるデータを選択的に暗号化する方法が記載されており、データの第１部分をデータの第２部分から分離するための構文解析手段と、データの第１部分のみを暗号化する暗号化手段と、暗号化されたデータの第１部分と暗号化されていないデータの第２の部分を結合する結合手段とを備える暗号化方法と、クライアント端末側における当該暗号化データを解読するための復号方法が示されている。
【００２７】
また、暗号化装置１０３は、必要に応じて、付加データハンドラ１０５と接続する。付加データハンドラ１０５は、データチャンネル１１３を用いて、付加データ補正、暗号化適正補正等の品質サービスや、電子商取引、契約や決済等を行う。例えば、クライアント端末１０７の表示部２０６のフレーム縦横比のデータ補正等の品質保証を行うクオリティサービスシステムである。付加データハンドラ１０５により、更に複雑なデータの使用や管理が可能となる。
【００２８】
尚、本実施の形態では、暗号化装置１０３が視聴情報集計手段１３３を実行しているが、付加データハンドラ１０５において視聴情報集計手段１３３に相当するアプリケーションプログラム、視聴情報データベース３１０を搭載し、実行させてもよい。
【００２９】
クライアント端末１０７は、パーソナルコンピュータ、携帯電話（特に第３世代３ＧＰＰ）、アナログＴＶやデジタルＴＶの受信機器であるセットトップボックス（ＳＴＢ）、車載案内装置やＧＰＳ等の位置信号受発信機器である車載端末等である。クライアント端末１０７には、送受信手段１２１、認証手段１２２、暗号化・復号手段１２３、視聴データ測定手段１２４等を有する。
【００３０】
送受信手段１２１は、コンテンツサーバ１０１から配信され、暗号化装置１０３を通して、暗号化された暗号化デジタルコンテンツデータ１１１を受信し、制御データ、デジタルコンテンツデータの配信サービス利用要求、視聴データ等を送信する。
【００３１】
認証手段１２２は、予め、記憶した所定の認証情報と、コンテンツサーバ１０１へのデジタルコンテンツデータ１１０の配信サービス利用要求に対して、コンテンツサーバ１０１から受け取ったデジタルコンテンツデータの配信サービスを受ける旨の利用内容に関する利用情報と、認証情報に基づき、契約端末の認証を行う。認証情報２２６は、正当使用者／端末を特定するための情報であり、例えば、ＩＣカード２２０に記憶された契約者識別情報や、クライアント端末１０７の識別情報等である。
【００３２】
暗号化・復号手段１２３は、認証手段により認証される場合、受信した暗号化デジタルコンテンツデータを復号し、また、カメラ２０３、マイク２０７を用いて、入力した映像、音声等の入力データを暗号化し、認証情報を付加した暗号化データを生成する。
【００３３】
視聴データ測定手段１２４は、所定時間間隔に、再生されたデジタルコンテンツの視聴状況を示す視聴データを生成し、送受信手段１２１を介して、暗号化装置１０３に送信する。
【００３４】
次に、図２を参照しながら、クライアント端末１０７のハードウェア構成を説明する。図２は、クライアント端末１０７のハードウェア構成図である。以下、代表してクライアント端末１０７（携帯電話）について説明する。本発明に関連した構成要素のみを図示しており、送受話部等の図示は省略してある。
【００３５】
クライアント端末１０７は、制御部２０１、記憶部２０２、カメラ２０３、送受信２０４、入力部２０５、表示部２０６、マイク２０７、記録媒体Ｉ／Ｆ部２０８、暗号化・復号回路２０９、アンテナ２１０等が、接続されて構成される。
【００３６】
制御部２０１は、ＣＰＵ（Ｃｅｎｔｒａｌ  Ｐｒｏｃｅｓｓｉｎｇ  Ｕｎｉｔ  ）、ＲＯＭ（Ｒｅａｄ  Ｏｎｌｙ  Ｍｅｍｏｒｙ  ）、ＲＡＭ（Ｒａｎｄｏｍ  Ａｃｃｅｓｓ  Ｍｅｍｏｒｙ）等で構成される。
【００３７】
ＣＰＵは、記憶部２０２、ＲＯＭ、暗号化・復号回路２０９、記録媒体等に格納されるプログラムをＲＡＭ上のワークメモリ領域に呼び出して実行し、システムバスを介して接続された各装置を駆動制御し、クライアント端末１０７が行う後述する各種処理（図７、図８参照）を実現する。
ＲＯＭは、不揮発性メモリであり、コンピュータのブートプログラムやＢＩＯＳ等のプログラム、データ等を恒久的に保持している。
ＲＡＭは、揮発性メモリであり、記憶部２０２、ＲＯＭ、記録媒体等からロードしたプログラム、データ等を一時的に保持するとともに、制御部２０１が各種処理を行う為に使用するワークエリアを備える。
【００３８】
記憶部２０２は、制御部２０１が実行するプログラム、プログラム実行に必要なデータ、ＯＳ（オペレーティングシステム）等が格納される。
これらの各プログラムコードは、制御部２０１により必要に応じて読み出されてＲＡＭに移され、ＣＰＵに読み出されて各種の手段として実行される。
【００３９】
カメラ２０３は、撮像手段に相当し、画像データ、映像データ等を取得する。
【００４０】
送受信部２０４は、クライアント端末１０７とネットワーク１０９間の通信を媒介する通信インタフェースであり、ネットワーク１０９を介して、コンテンツサーバ１０１と、暗号化装置１０３と、クライアント端末１０７間の通信制御を行う。
【００４１】
入力部２０５は、データの入力を行い、例えば、キーボード、テンキー等の入力装置を有する。
【００４２】
表示部２０６は、ＣＲＴモニタ、液晶パネル等のディスプレイ装置を有する。
マイク２０７は、音声入力手段に相当し、音声データを取得する。
【００４３】
記録媒体Ｉ／Ｆ部２０８は、記録媒体へのデータの授受を行う。記録媒体は、ＩＣカード２２０、メモリカード２３０等である。
暗号化・復号回路２０９は、暗号化・復号手段１２３に相当し、暗号化したデータに対する復号、及びデータの暗号化を行う。
【００４４】
図３は、ＩＣカード２２０のデータ構造の一態様を示す図である。
図３に示すように、ＩＣカード２２０は、接触型ＩＣカードであり、ＩＣモジュール端子とリーダ／ライタの端子が接触することで電力供給や通信を行う。
ＩＣカード２２０は、ＣＰＵ２２１、ＲＯＭ２２２、ＲＡＭ２２３、ＥＥＰＲＯＭ２２４（Ｅｌｅｃｔｒｉｃａｌｌｙ  Ｅｒａｓａｂｌｅ  Ｐｒｏｇｒａｍｍａｂｌｅ  ＲＯＭ）等からなる。
【００４５】
ＲＯＭ２２２には、アプリケーションの追加・削除が可能なプラットフォーム型ＯＳを格納する。
ＥＥＰＲＯＭ２２４には、プラットフォーム型ＯＳに対応したアプリケーション２２５を複数搭載可能とする。例えば、アプリケーション２２５として、契約端末の認証を行う認証手段１２２に相当する認証アプリケーションプログラム、正当使用者／端末を特定するための認証情報２２６（例えば、契約者識別情報等）を搭載、格納する。
【００４６】
尚、ＩＣカード２２０のデータ構造は、この構成に限られるものではない。
【００４７】
また、本実施の形態では、暗号化・復号手段１２３として暗号化・復号回路２０９を内蔵しているが、ＩＣカード２２０のＥＥＰＲＯＭ２２４のアプリケーション２２５として暗号化・復号手段１２３に相当する機能の暗号化・復号アプリケーションプログラムを搭載してもよいし、メモリカード２３０や、記憶部２０２に格納し、実行してもよい。
【００４８】
また、本実施の形態では、ＩＣカード２２０に、認証手段１２２に相当する認証アプリケーションプログラム、認証情報２２６（例えば契約者識別情報）等を搭載、格納しているが、例えば、認証情報２２６に、予め、有するクライアント端末１０７の固有番号等の識別情報を設定し、認証アプリケーションプログラムを記憶部２０２に格納してもよい。
【００４９】
次に、図４を参照しながら、暗号化装置１０３のハードウェア構成を説明する。図４は、暗号化装置１０３のハードウェア構成図である。
【００５０】
暗号化装置１０３は、制御部３０１、記憶部３０２、通信制御部３０３等が、接続されて構成される。尚、本発明に関連した構成要素のみを図示する。
【００５１】
制御部２０１は、ＣＰＵ、ＲＯＭ、ＲＡＭで構成される。
ＣＰＵは、記憶部２０２、ＲＯＭ、記録媒体等に格納されるプログラムをＲＡＭ上のワークメモリ領域に呼び出して実行し、システムバスを介して接続された各装置を駆動制御し、暗号化装置１０３が行う通信手段１３１、暗号化手段１３２に相当する処理、及び視聴情報集計手段１３３に相当する後述する処理（図１０参照）を実現する。
【００５２】
記憶部３０２は、ＨＤＤ（ハードディスクドライブ）であり、制御部３０１が実行するプログラム、プログラム実行に必要なデータ、ＯＳ（オペレーティングシステム）等が格納される。プログラムに関しては、ＯＳ（オペレーティングシステム）に相当する制御プログラム３９３や、本コンピュータを適用する暗号化装置１０３が行う視聴情報集計プログラム３９１、暗号化プログラム３９２等のアプリケーションプログラムが格納されている。
【００５３】
通信制御部３０３は、通信制御装置、通信ポート等を有し、サーバ１０１とネットワーク１０９間の通信を媒介する通信インタフェースであり、ネットワーク１０９を介して、サーバ１０１と、クライアント端末１０７間の通信制御を行う。
【００５４】
システムバス３０９は、各装置間の制御信号、データ信号等の授受を媒介する経路である。
【００５５】
次に、図５を参照しながら、暗号化装置１０３の記憶部３０２が保持する情報について説明する。図５は、暗号化装置１０３の記憶部３０２が保持する情報を示す図である。
【００５６】
記憶装置３０２内には、視聴情報データベース３１０、及び視聴情報集計プログラム３９１、暗号化プログラム３９２等のアプリケーションプログラム、制御プログラム３９３が格納されている。
【００５７】
図６は、視聴情報データベース３１０のデータ構成を示す図である。
図６に示すように、視聴情報データベース３１０は、複数の視聴情報３２０、複数の広告情報３３０、複数の広告視聴率情報３４０等からなる。
視聴情報３２０は、クライアント端末１０７から受信し、蓄積した視聴データ２４０であり、端末識別情報３２１、時間情報３２２、視聴状況情報３２３等を有する。端末識別情報３２１は視聴データ２４０を送信したクライアント端末１０７の識別情報であり、認証情報２２６を用いてもよい。時間情報３２２は、視聴情報を測定した時刻データである。視聴状況情報３２３はデジタルコンテンツデータ１１０を視聴しているか否かを示すＯＮ／ＯＦＦフラグ情報である。
広告情報３３０は、デジタルコンテンツデータ１１０内に掲載する広告の管理情報であり、広告識別情報３３１、広告配信時間情報３３２、コンテンツ識別情報３３３等を有する。
広告視聴率情報３４０には、視聴情報集計手段１３３により算出、集計された広告毎の視聴率集計結果である。
【００５８】
尚、視聴情報データベース３１０のデータ構成は、この構成に限られるわけではない。
【００５９】
視聴情報集計プログラム３９１は、視聴情報集計手段１３３に相当する実行可能プログラムである。
暗号化プログラム３９２は、暗号化手段１３２に相当する実行可能プログラムである。
制御プログラム３９３は、暗号化装置１０３であるコンピュータの各構成部分を駆動制御するプログラムである。
【００６０】
次に、図７、図８を参照しながら、コンテンツサーバ１０１から、暗号化装置１０３を介して、クライアント端末１０７にデジタルコンテンツデータを配信する配信処理、及び視聴データ測定処理について説明する。図７は、デジタルコンテンツデータ１１０の配信処理の処理動作を示すフローチャートである。
【００６１】
クライアント端末１０７の記憶部２０２、ＩＣカード２２０、暗号化・復号回路２０９には、制御プログラム、デジタルコンテンツデータ送受信手段１２１、認証手段１２２、暗号化・復号手段１２３、視聴データ測定手段１２４等に該当する実行プログラムが格納されている。以下のクライアント端末１０７の処理は、これら実行可能プログラムの制御に従って、クライアント端末１０７の制御部２０１によって行われる。
【００６２】
予め、クライアント端末１０７の制御部２０１は、コンテンツサーバ１０１にデジタルコンテンツデータの配信サービスを受ける旨の契約登録等の配信利用要求を送信し、コンテンツサーバ１０１から利用期間、受信許可等を表す利用情報を受信し、設定しておく。
【００６３】
コンテンツサーバ１０１の制御部は、映像、音声等のデジタルコンテンツデータ１１０を配信する（ステップＳ７０１）。コンテンツサーバ１０１の制御部は、ストリーミング方式を用いて、デジタルコンテンツデータ（ストリーミングデータ）を配信する。
【００６４】
暗号化装置１０３の制御部は、各コンテンツサーバ１０１からの受け取った個々に異なったフォーマットのデジタルコンテンツデータ１１０を暗号化し、暗号化された暗号化デジタルコンテンツデータ１１１を送出する（ステップＳ７０２）。この際、更に、付加データハンドラ１０５により、データチャンネル１１３を用いて、例えば、付加データ補正、暗号化適正補正等の品質サービスを行うことが可能である。
【００６５】
クライアント端末１０７の制御部２０１は、暗号化デジタルコンテンツデータ１１１を受信する（ステップＳ７０３）。
制御部２０１は、契約端末の認証判定を行う（ステップＳ７０４）。制御部２０１は、予め、受け取った利用情報と、認証情報２２６に基づいて、認証を行う。
認証された場合（ステップＳ７０４のＹｅｓ）、制御部２０１は、受信した暗号化デジタルコンテンツデータ１１１を解凍し復号する（ステップＳ７０５）。制御部２０１は、視聴データ測定プログラム３９２を起動し（ステップＳ７０６）、解凍したデジタルコンテンツデータ１１０を再生する（ステップＳ７０７）。
【００６６】
尚、暗号化・復号手段１２３に相当する暗号化／復号方法については、前述した暗号化手段１３１同様にコンピュータ分野において広く行われている事項であり、本発明で規定するところではない、例えば、特表２００４−５１１９３１号公開には、伝送されるデータを選択的に暗号化する方法が記載されている。
【００６７】
次に、ステップＳ７０６で起動する視聴データ測定手段１２４に相当する視聴データ測定処理の処理動作を説明する。図８は、クライアント端末１０７の視聴データ測定処理の処理動作を示すフローチャートである。
クライアント端末１０７の制御部２０１は、デジタルコンテンツデータ１１０の受信処理、再生処理と並列に視聴データ測定処理を行うものとする。
【００６８】
図８に示すように、クライアント端末１０７の制御部２０１は、契約者／端末の識別情報である認証情報２２６を視聴データ２４０に設定する（ステップＳ８０１）。
【００６９】
図９は、視聴データ２４０の一態様を示す図である。
図９に示すように、視聴データ２４０は、ヘッダ部２４１、端末識別情報２４２、時間情報２４３、視聴状況情報２４４等からなる。
ヘッダ部２４１は、視聴データを表す制御コードを格納する。
端末識別情報２４２は、視聴データ２４０の発信元のクライアント端末１０７の識別情報である。
時間情報２４３は、測定時の時刻データである。
視聴状況情報２４４は、デジタルコンテンツデータ１１０を視聴しているか否かを示すＯＮ／ＯＦＦフラグ情報である。
尚、視聴率データ２４０のデータ構成は、この構成に限られるわけではない。
【００７０】
制御部２０１は、現在の時刻を視聴データ２４０の時間情報２４３に設定する（ステップＳ８０２）。
制御部２０１は、コンテンツを視聴しているか否かの視聴状況（ＯＮ／ＯＦＦ）を視聴データ２４０の視聴状況情報２４４に設定する。（ステップＳ８０３）
制御部２０１は、暗号化装置１０３に視聴データ２４０を送信する（ステップＳ８０４）。
【００７１】
制御部２０１は、所定時間間隔（例えば、１／１０秒間隔）で視聴データ測定処理を起動するために、タイマ値に所定時間を設定して、タイマを起動し（ステップＳ８０５）、休止状態に入る（ステップＳ８０６）。
制御部２０１は、所定時間経過後、タイマのタイムアウト通知（ステップＳ８０７）により、ステップＳ８０２に移行し、次の視聴データ２４０の測定、送信処理を行う。以降、ステップＳ８０２からステップＳ８０７の処理を繰り返す。
尚、視聴データ測定処理は、デジタルコンテンツデータの受信終了、又は認証されない場合、視聴データ測定処理を終了する。
【００７２】
また、クライアント端末１０７の制御部２０１は、カメラ２０３やマイク２０７を用いて入力した映像／画像／音声等の入力データを暗号化し、生成した暗号化データを記憶部２０２等に保持する。
暗号化データには、正当使用者／端末を特定するための認証情報２２６（例えば契約者識別情報）を挿入しており、例えば、不正にライブ等が撮影され、暗号化データをネットワーク１０９に流通した場合でも、契約者識別情報を基に、ネットワーク１０９上でメディアコンテンツの追跡を可能とし、盗用源を見つけ出し特定する。同様に、配信された暗号化デジタルコンテンツデータ１１１に対しても、不正に配信した場合、ネットワーク１０９上でメディアコンテンツの追跡を可能とし、盗用源を見つけ出し特定可能とする。
【００７３】
次に、図１０を参照しながら、暗号化装置１０３における視聴情報集計手段１３３に相当する視聴情報集計処理の処理動作を説明する。図１０は、暗号化装置１０３の視聴率集計処理の処理手順を示すフローチャートである。
【００７４】
暗号化装置１０３の記憶部３０２には、通信手段１３１、暗号化手段１３２、視聴情報集計手段１３３等に該当する実行可能プログラムが格納されている。以下の暗号化装置１０３の処理は、この実行可能プログラムの制御に従って、暗号化装置１０３の制御部３０１によって行われる。
【００７５】
暗号化装置１０３の制御部３０１は、通信手段１３１により、クライアント端末１０７から受信した視聴データ２４０を視聴情報データベース３１０の視聴情報３２０に記憶する（ステップＳ１００１）。例えば、制御部３０１は、クライアント端末１０７からデータを受信すると、ヘッダ部２４１を判定し、視聴データの場合、視聴情報データベース３１０に蓄積する。
【００７６】
視聴率集計は、例えば、コンテンツサーバ１０１からの視聴率集計要求や所定期間毎（月１回等）に、必要に応じて行う。制御部３０１は、集計対象となる広告情報３３０の条件（広告識別情報３３１、広告配信時間情報３３２、コンテンツ識別情報３３３等の少なくともいずれか１つ）に一致した視聴情報３２０を抽出する（ステップＳ１００２）。
制御部３０１は、抽出された視聴情報３２０の視聴状況情報３２３を基に、当該広告の視聴率を算出する（ステップＳ１００３）。
制御部３０１は、算出された視聴率、集計結果、当該広告情報３３０等を視聴率集計情報３４０に記憶する（ステップＳ１００４）。
制御部３０１は、当該広告情報のコンテンツ識別情報３３３に該当するコンテンツサーバ１０１に視聴率集計情報３４０を送信する（ステップＳ１００５）。
【００７７】
尚、本実施の形態では、データベースに広告の広告識別情報、配信時間情報、コンテンツ識別情報等を広告情報として予め記憶しておき、視聴データの時間情報と広告情報の要素をマッチングさせて視聴率を算出するが、この手法に限られるわけではない。
また、本実施の形態では、暗号化装置１０３は、視聴情報集計プログラム３９２を有し視聴率集計処理を実行しているが、これに限るわけではなく、例えば暗号化装置１０３に接続する付加データハンドラ１０５に視聴情報集計プログラムを搭載し、実行してもよい。
【００７８】
以上説明したように、本発明の実施の形態によれば、映像、音声等のデジタルコンテンツデータ１１０を配信する複数のコンテンツサーバ１０１と、暗号化装置１０３と、暗号化されたデジタルコンテンツデータを受信する複数のクライアント端末１０７とが、ネットワーク１０９を介して接続されるコンテンツ配信システム１００において、クライアント端末１０７は、コンテンツサーバ１０３から配信され、暗号化装置１０３を介して、暗号化された暗号化デジタルコンテンツデータを受信する受信手段１２１と、認証手段１２２により契約端末の認証がなされている場合、受信した暗号化デジタルコンテンツデータを復号する暗号化・復号手段１２３、所定時間間隔で認証情報と共に、デジタルコンテンツデータの視聴状況を示す視聴データ２４０を暗号化装置１０３に送信する視聴情報測定手段を備え、暗号化装置１０３は、各コンテンツサーバ１０１からの配信される異種のデジタルコンテンツデータ１１０を暗号化する暗号化手段１３２と、各クライアント端末から受信した視聴情報を蓄積し、視聴情報に基づいて、デジタルコンテンツデータと共に配信する広告に関する視聴率を算出する視聴情報集計手段１３３とを備え、配信されるデジタルコンテンツの掲載広告の視聴率調査を行う。
【００７９】
これにより、ネットワークを通じて映像や音声などのマルチメディアのコンテンツ配信において、掲載する広告の視聴率情報を提供でき、有効且つリアルタイムな視聴率調査が可能となり、広告効果を高めることができる。
また、暗号化装置１０３で視聴率集計処理を実行することにより、既存のシステム構成で視聴率調査を行うことを可能とし、新たに、受信機器からの視聴データを収集、集計する視聴率集計装置を設置する必要がなく、視聴率調査にかかるコスト負荷が軽減される。
【００８０】
尚、本実施の形態では、データベースに広告の広告識別情報、配信時間情報、コンテンツ識別情報等を広告情報として予め記憶しておき、視聴データの時間情報と広告情報の要素をマッチングさせて視聴率を算出するが、この手法に限られるわけではない。
また、本実施の形態では、暗号化装置１０３は、視聴情報集計プログラム３９２を有し視聴率集計処理を実行しているが、これに限るわけではなく、例えば暗号化装置１０３に接続する付加データハンドラ１０５に視聴情報集計プログラムを搭載し、実行してもよい。
また、本実施の形態では、暗号化・復号手段１２３として暗号化・復号回路２０９を内蔵しているが、これに限らない。例えば、ＩＣカード２２０のＥＥＰＲＯＭ２２４のアプリケーション２２５として暗号化・復号手段１２３に相当する機能の暗号化・復号アプリケーションプログラムを搭載してもよいし、メモリカード２３０、記憶部２０２に格納し、実行してもよい。
【００８１】
また、本実施の形態では、ＩＣカード２２０に、契約端末の認証を行う認証手段１２２に相当する認証アプリケーションプログラム、認証情報２２６（例えば契約者識別情報）等を搭載、格納しているが、これに限らない。例えば、認証情報２２６に、予め、有するクライアント端末１０７の固有番号等の端末識別情報を設定し、認証アプリケーションプログラムを記憶部２０２に格納してもよい。
【００８２】
尚、図７、図８、図１０に示す処理を行うプログラムはＣＤ−ＲＯＭ等の記録媒体に保持させて流通させてもよいし、このプログラムを通信回線を介して送受することもできる。
【００８３】
以上、添付図面を参照しながら、本発明に係るコンテンツ配信システム等の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【図面の簡単な説明】
【００８４】
【図１】本実施の形態に係るコンテンツ配信システム１００の構成を示すブロック図
【図２】クライアント端末１０７のハードウェア構成図
【図３】ＩＣカード２２０のデータ構造の一態様を示す図
【図４】暗号化装置１０３のハードウェア構成図
【図５】暗号化装置１０３の記憶部３０２が保持する情報を示す図
【図６】視聴情報データベース３１０のデータ構成を示す図
【図７】デジタルコンテンツデータ１１０の配信処理の処理動作を示すフローチャート
【図８】クライアント端末１０７の視聴データ測定処理の処理動作を示すフローチャート
【図９】視聴データ２４０の一態様を示す図
【図１０】暗号化装置１０３の視聴率集計処理の処理手順を示すフローチャート
【符号の説明】
【００８５】
１００………コンテンツ配信システム
１０１………コンテンツサーバ
１０３………暗号化装置
１０５………付加データハンドラ
１０７………クライアント端末
１０９………ネットワーク
１１０………デジタルコンテンツデータ
１１１………暗号化デジタルコンテンツデータ
１１３………データチャンネル
１２１………送受信手段
１２２………認証手段
１２３………暗号化・復号手段
１２４………視聴データ測定手段
１３１、１４１………通信手段
１３２………暗号化・復号手段
１３３………視聴情報集計手段
２０１、３０１………制御部
２０２、３０２………記憶部
２４０………視聴データ
２４１………ヘッダ部
２４２………端末識別情報
２４３………時間情報
２４４………視聴状況情報
３１０………視聴情報データベース
３２０………視聴情報
３２１………端末識別情報
３２２………時間情報
３２３………視聴状況情報
３３０………広告情報
３３１………広告識別情報
３３２………広告配信時間情報
３３３………コンテンツ識別情報
３４０………視聴率集計情報
３９１………視聴情報集計プログラム
３９２………暗号化プログラム
【図１】
2007011842.tif 000003
【図２】
2007011842.tif 000004
【図３】
2007011842.tif 000005
【図４】
2007011842.tif 000006
【図５】
2007011842.tif 000007
【図６】
2007011842.tif 000008
【図７】
2007011842.tif 000009
【図８】
2007011842.tif 000010
【図９】
2007011842.tif 000011
【図１０】
2007011842.tif 000012